(57)【要約】【課題】股間部における吸収性本体の幅が股間部における外装体の幅よりも広い使い捨ておむつで、レッグ開口部への脚の挿入性が高く、股間部のフィット性も高い使い捨ておむつを提供する。【解決手段】表面シート2、裏面シート3及び両シート2,3間に介在する吸収体4を有する吸収性本体5と吸収性本体5の非肌当接面側に本体接合部13により接合された外装体10とを備え、長手方向に腹側部、股間部及び背側部を有する使い捨ておむつ1であって、吸収体4は、その両側縁の長手方向中央部が幅方向内方に向けて括れた略砂時計形状を有しており、裏面シート3の両側部は、幅方向内方に折り返されて、少なくとも長手方向両端部近傍において表面シート2の肌当接面側に接合されており、折り返された裏面シート3の内側縁32は、前記股間部において幅方向外方に向けて凸となるように湾曲しており、湾曲した裏面シート3の内側縁32に沿ってサイド弾性部材61が湾曲して配設されている。【選択図】図３
2007275322.tif 000002
【特許請求の範囲】
【請求項１】
表面シート、裏面シート及び両シート間に介在する吸収体を有する吸収性本体と該吸収性本体の非肌当接面側に本体接合部により接合された外装体とを備え、長手方向に腹側部、股間部及び背側部を有する使い捨ておむつであって、
前記吸収体は、その両側縁の長手方向中央部が幅方向内方に向けて括れた略砂時計形状を有しており、
前記裏面シートの両側部は、幅方向内方に折り返されて、少なくとも長手方向両端部近傍において前記表面シートの肌当接面側に接合されており、
折り返された該裏面シートの内側縁は、前記股間部において幅方向外方に向けて凸となるように湾曲しており、湾曲した該裏面シートの該内側縁に沿ってサイド弾性部材が湾曲して配設されている使い捨ておむつ。
【請求項２】
湾曲した前記裏面シートの前記内側縁の湾曲幅は、５〜４５ｍｍである請求項１記載の使い捨ておむつ。
【請求項３】
表面シート、裏面シート及び両シート間に介在する吸収体を有する吸収性本体と該吸収性本体の非肌当接面側に本体接合部により接合された外装体とを備え、長手方向に腹側部、股間部及び背側部を有する使い捨ておむつであって、
前記吸収体は、その両側縁の長手方向中央部が幅方向内方に向けて括れた略砂時計形状を有しており、
前記裏面シートの両側部は、幅方向内方に折り返されて、少なくとも長手方向両端部近傍において前記表面シートの肌当接面側に接合されており、
折り返された前記裏面シートの内側縁には、前記股間部において多数の切れ込みが形成されている使い捨ておむつ。
【請求項４】
折り返された前記裏面シートには、前記切れ込みから幅方向外方の位置に、サイド弾性部材が配設されており、前記サイド弾性部材は、前記股間部において幅方向外方に向けて凸となるように湾曲しており、
多数の前記切れ込みにおける幅方向外方の端部は、前記サイド弾性部材の湾曲形状に沿って配列している請求項３記載の使い捨ておむつ。
【請求項５】
折り返された前記裏面シートの内側縁における前記切れ込みが形成された領域には、ローション剤が付着されている請求項３又は４に記載の使い捨ておむつ。
【請求項６】
表面シート、裏面シート及び両シート間に介在する吸収体を有する吸収性本体と該吸収性本体の非肌当接面側に本体接合部により接合された外装体とを備え、長手方向に腹側部、股間部及び背側部を有する使い捨ておむつであって、
前記吸収体は、その両側縁の長手方向中央部が幅方向内方に向けて括れた略砂時計形状を有しており、
展開状態において、前記股間部における前記吸収性本体の幅は該股間部における前記外装体の幅よりも広く、該股間部における該外装体の幅は該股間部における前記吸収体の幅よりも広く、該股間部における該吸収体の幅は該股間部における該本体接合部の幅以上であり、
前記吸収性本体の両側部にはサイド弾性部材が配設されており、
前記股間部における前記吸収性本体には幅方向弾性部材が配設されている使い捨ておむつ。
【請求項７】
前記股間部における前記吸収性本体の幅は、該股間部における前記外装体の幅よりも３０ｍｍ以上広い請求項１〜６の何れかに記載の使い捨ておむつ。
【請求項８】
前記股間部における前記外装体の幅は、該股間部における前記吸収体の幅よりも２０ｍｍ以上広い請求項１〜７の何れかに記載の使い捨ておむつ。
【請求項９】
前記股間部における前記吸収体の幅は、該股間部における前記本体接合部の幅よりも１０ｍｍ以上広い請求項１〜８の何れかに記載の使い捨ておむつ。
【請求項１０】
折り返された前記裏面シートの幅は、１０〜５０ｍｍである請求項１〜９の何れかに記載の使い捨ておむつ。
【発明の詳細な説明】
【技術分野】
【０００１】
本発明は、表面シート、裏面シート及び両シート間に介在する吸収体を有する吸収性本体と該吸収性本体の非肌当接面側に接合された外装体とを備え、展開状態において股間部における吸収性本体の幅が股間部における外装体の幅よりも広い使い捨ておむつに関する。
【背景技術】
【０００２】
従来より、表面シート、裏面シート及び両シート間に介在する吸収体を有する吸収性本体と該吸収性本体の非肌当接面側に接合された外装体とを備え、展開状態において股間部における吸収性本体の幅が股間部における外装体の幅よりも広い使い捨ておむつが知られている（例えば、特許文献１，２参照）。特許文献１，２に記載の使い捨ておむつにおいては、吸収性本体の両側部に沿ってサイドギャザーが形成されている。
このような形態の使い捨ておむつによれば、脚部からの漏れを防止することができ、また、吸収性本体の幅よりも、外装体から形成されたレッグ開口部の幅が狭く形成されているため、レッグ開口部に脚を通し易い。
【０００３】
【特許文献１】特開平１１−１０７００７号公報
【特許文献２】実開平７−１８７１４号公報
【発明の開示】
【発明が解決しようとする課題】
【０００４】
しかしながら、特許文献１，２に記載の使い捨ておむつにおいては、実際には、レッグ開口部への脚の挿入性が低下したり、股間部のフィット性が低下し易いという問題がある。具体的には、吸収性本体において吸収体の形状が矩形状の場合には、吸収性本体の幅を、外装体から形成されたレッグ開口部の幅よりも広げると吸収性本体がレッグ開口部をふさぐようになり、レッグ開口部の有効開口面積が小さくなり、脚の挿入性が低下する。
【０００５】
また、吸収性本体において吸収体の形状が略砂時計形状（両側縁の長手方向中央部が幅方向内方に向けて括れた形状）の場合には、装着時には、吸収性本体のサイドギャザーが吸収体の側端を起点として立ち上がり、吸収性本体の股間部が見かけ上狭くなるため、脚の挿入性は良くなるものの、サイドギャザーの起立高さは、見かけ上、もとのサイドギャザーの起立高さに吸収性本体の括れた部分のシート幅が加わるため高くなり過ぎ、吸収体と体との距離が離れ過ぎてしまい、股間部のフィット性が低下する。
特に尿取りパッドと併用するために吸収性本体の幅を広げようとした場合に、脚の挿入性の低下や股間部のフィット性の低下といった問題は、さらに大きくなる。
【０００６】
従って、本発明の目的は、展開状態において股間部における吸収性本体の幅が股間部における外装体の幅よりも広い使い捨ておむつであって、レッグ開口部への脚の挿入性が高く、股間部のフィット性も高い使い捨ておむつを提供することにある。
【課題を解決するための手段】
【０００７】
本発明は、表面シート、裏面シート及び両シート間に介在する吸収体を有する吸収性本体と該吸収性本体の非肌当接面側に本体接合部により接合された外装体とを備え、長手方向に腹側部、股間部及び背側部を有する使い捨ておむつであって、前記吸収体は、その両側縁の長手方向中央部が幅方向内方に向けて括れた略砂時計形状を有しており、前記裏面シートの両側部は、幅方向内方に折り返されて、少なくとも長手方向両端部近傍において前記表面シートの肌当接面側に接合されており、折り返された該裏面シートの内側縁は、前記股間部において幅方向外方に向けて凸となるように湾曲しており、湾曲した該裏面シートの該内側縁に沿ってサイド弾性部材が湾曲して配設されている使い捨ておむつ（以下「第１発明」ともいう）を提供することにより前記目的を達成したものである。
【０００８】
また、本発明は、表面シート、裏面シート及び両シート間に介在する吸収体を有する吸収性本体と該吸収性本体の非肌当接面側に本体接合部により接合された外装体とを備え、長手方向に腹側部、股間部及び背側部を有する使い捨ておむつであって、前記吸収体は、その両側縁の長手方向中央部が幅方向内方に向けて括れた略砂時計形状を有しており、前記裏面シートの両側部は、幅方向内方に折り返されて、少なくとも長手方向両端部近傍において前記表面シートの肌当接面側に接合されており、折り返された前記裏面シートの内側縁には、前記股間部において多数の切れ込みが形成されており、折り返された前記裏面シートには、前記切れ込みから幅方向外方の位置に、サイド弾性部材が配設されており、前記切れ込みには、接着剤が付着していない使い捨ておむつ（以下「第２発明」ともいう）を提供することにより前記目的を達成したものである。
【０００９】
また、本発明は、表面シート、裏面シート及び両シート間に介在する吸収体を有する吸収性本体と該吸収性本体の非肌当接面側に本体接合部により接合された外装体とを備え、長手方向に腹側部、股間部及び背側部を有する使い捨ておむつであって、前記吸収体は、その両側縁の長手方向中央部が幅方向内方に向けて括れた略砂時計形状を有しており、展開状態において、前記股間部における前記吸収性本体の幅は該股間部における前記外装体の幅よりも広く、該股間部における該外装体の幅は該股間部における前記吸収体の幅よりも広く、該股間部における該吸収体の幅は該股間部における該本体接合部の幅以上であり、前記吸収性本体の両側部にはサイド弾性部材が配設されており、前記股間部における前記吸収性本体には幅方向弾性部材が配設されている使い捨ておむつ（以下「第３発明」ともいう）を提供することにより前記目的を達成したものである。
【発明の効果】
【００１０】
本発明の使い捨ておむつによれば、展開状態において股間部における吸収性本体の幅が股間部における外装体の幅よりも広い使い捨ておむつであって、レッグ開口部への脚の挿入性が高く、股間部のフィット性も高い。
【発明を実施するための最良の形態】
【００１１】
以下に、本発明の使い捨ておむつについて、その好ましい実施形態に基づき図面を参照しながら説明する。まず、第１発明の実施形態である第１実施形態について、図１〜図５を参照しながら説明する。
第１実施形態の使い捨ておむつ１は、いわゆるパンツ型の使い捨ておむつであり、図１〜図５に示すように、表面シート２、裏面シート３及び両シート２，３間に介在する吸収体４を有する吸収性本体５と吸収性本体５の非肌当接面側に本体接合部１３により接合された外装体１０とを備えている。
【００１２】
本実施形態の使い捨ておむつ１は、長手方向に、装着時に着用者の腹側に配される腹側部Ａ、装着時に着用者の背側に配される背側部Ｂ、及び腹側部Ａと背側部Ｂとの間に位置する股間部Ｃとを有している。腹側部Ａ、股間部Ｃ及び背側部Ｂは、展開状態（各部の弾性部材を伸張させ平面状に拡げた状態、図２に示す状態）の使い捨ておむつ１における長手方向（図２の上下方向）において、レッグ開口部が存在する領域を股間部Ｃとしたときに、股間部Ｃよりも腹側の部分を腹側部Ａ、股間部Ｃよりも背側の部分を背側部Ｂとして示している。
【００１３】
尚、本明細書において、「肌当接面側」とは装着時に着用者の肌側に配される側であり、「非肌当接面側」とは肌当接面側の反対側である。「長手方向」及び「幅方向」とは、特に明記のない限り、それぞれ展開状態における使い捨ておむつの長手方向及び幅方向である。
【００１４】
吸収性本体５は、縦長矩形状の平面視形状を有しており、その長手方向を、使い捨ておむつ１の長手方向に一致させて、腹側部Ａから背側部Ｂに亘るように、本体接合部１３により外装体１０の肌当接面側における幅方向中央部に接合されている。
本体接合部１３は、ホットメルト型接着剤等の公知の接合手段から形成されている。本体接合部１３の幅Ｗ４〔図３（ｂ）参照〕は、好ましくは３０〜１６０ｍｍ、更に好ましくは５０〜１４０ｍｍである。
【００１５】
吸収性本体５の長さは、好ましくは４００〜１０００ｍｍ、更に好ましくは４５０〜８５０ｍｍである。吸収性本体５の幅Ｗ１〔図２、図３（ｂ）、図５参照〕は、好ましくは８０〜３４０ｍｍ、更に好ましくは１２０〜３００ｍｍである。
【００１６】
吸収体４は、その両側縁の長手方向中央部が幅方向内方に向けて括れた略砂時計形状を有している。吸収体４の長さ及び最大幅（括れていない領域の両側縁間の幅）の好ましい範囲は、それぞれ吸収性本体５の長さ及び幅の好ましい範囲と同じである。股間部Ｃにおける吸収体４の幅（括れた領域における最も幅狭部分の幅）Ｗ３〔図２、図３（ｂ）、図５参照〕は、好ましくは４０〜１７０ｍｍ、更に好ましくは６０〜１５０ｍｍである。吸収体４における括れた領域の長さＬ１（図５参照）は、好ましくは３００〜９００ｍｍ、更に好ましくは４００〜８００ｍｍである。
【００１７】
吸収性本体５においては、表面シート２は、吸収体４の肌当接面側のほぼ全域を被覆している。裏面シート３は、吸収体４の非肌当接面側のほぼ全域を被覆していると共に、その両側部が幅方向内方に折り返されて、少なくとも長手方向両端部近傍において表面シート２の肌当接面側に接合されている。本実施形態においては、裏面シート３の両側部は、幅方向内方に向けて２回折り返されており、腹側部Ａ及び背側部Ｂそれぞれの略全域において表面シート２の肌当接面側に接合されている。
【００１８】
尚、裏面シート３のうち、表面シート２側に折り返された両側部を「折り返し領域３１」ともいう。
折り返し領域３１の幅Ｗ５〔図３（ａ）、図５参照〕は、好ましくは１０〜５０ｍｍ、更に好ましくは１５〜４５ｍｍである。
【００１９】
折り返された裏面シート３の内側縁３２は、股間部Ｃにおいて幅方向外方に向けて凸となるように湾曲しており、湾曲した裏面シート３の内側縁３２に沿ってサイド弾性部材６１が湾曲して配設されている。
【００２０】
湾曲した裏面シート３の内側縁３２の湾曲幅Ｗ６（図５参照）は、好ましくは５〜４５ｍｍ、更に好ましくは１０〜４０ｍｍである。
サイド弾性部材６１は、吸収性本体５の長手方向全長に亘って、所定間隔をおいて複数本並列している。
【００２１】
詳細には、サイド弾性部材６１は、図３（ａ）に示すように、腹側部Ａ及び背側部Ｂにおいては、折り返し領域３１における２回折り返された裏面シート３の間に挟持されて１本配設されており、吸収体４と裏面シート３との間に２本配設されている。
また、サイド弾性部材６１は、図３（ｂ）に示すように、股間部Ｃにおいては、表面シート２の非肌当接面側と裏面シート３の肌当接面側との間に３本配設されている。
【００２２】
外装体１０は、股間部Ｃに位置する領域の両側縁が幅方向内方に括れた略砂時計形状の平面視形状を有している。外装体１０においては、腹側部Ａに位置する領域の両側縁部と背側部Ｂに位置する領域の両側縁部とが、ヒートシール、超音波シール等の公知の接合手段により互いに接合されており、これにより一対のサイドシール部が形成されている。また、この接合によって、使い捨ておむつ１には、ウエスト開口部７及び一対のレッグ開口部８，８が形成されている。
【００２３】
外装体１０は、２枚の外装体形成用シート１１，１２と、これら２枚のシート１１，１２間に固定された各部の弾性部材とからなる。２枚の外装体形成用シート１１，１２間には、ウエスト開口部７の周縁部にウエストギャザーを形成するウエスト部弾性部材７１が，レッグ開口部８の周縁部にレッグギャザーを形成するレッグ部弾性部材８１が，及び胴回り部Ｄ（ウエスト開口部７の周縁端から下方に２０ｍｍ離間した位置からレッグ開口部８の上端までの領域）に胴回りギャザーを形成する胴回り弾性部材９１が、それぞれ伸張状態で、ホットメルト型接着剤等の接合手段により接合固定されている。
【００２４】
腹側部Ａ側のレッグ部弾性部材８１は、一方のレッグ開口部８における腹側部Ａ側の略半分の領域に沿い、股間部Ｃを幅方向に跨ぎ、他方のレッグ開口部８における腹側部Ａ側の略半分の領域に沿って配設されている。同様に、背側部Ｂ側のレッグ部弾性部材８１は、一方のレッグ開口部８における背側部Ｂ側の略半分の領域に沿い、股間部Ｃを幅方向に跨ぎ、他方のレッグ開口部８における背側部Ｂ側の略半分の領域に沿って配設されている。レッグ部弾性部材８１は、吸収体４と交差する部分において、非弾性化された構成とするか、または、取り除いた構成とすることが、吸収体４にヨレや捩れが発生しなくなるので好ましい。
【００２５】
外装体形成用シート１１，１２は、何れも通気性の不織布から構成されている。これら２枚のシート１１，１２のうち、非肌当接面側に位置するシート１１は、その長手方向において、肌当接面側に位置するシート１２の前後端縁（長手方向の両端縁）よりそれぞれ延出した延出部を有し、これらの延出部は、それぞれシート１２上に吸収性本体５が配置された状態で、吸収性本体５の前後端（長手方向の両端）を覆うように吸収性本体５側に折り返されて接着されている。
【００２６】
外装体１０の長さは、好ましくは４００〜１０００ｍｍ、更に好ましくは５００〜１０００ｍｍである。股間部Ｃにおける外装体１０の幅Ｗ２〔図２、図３（ｂ）参照〕は、好ましくは６０〜２５０ｍｍ、更に好ましくは８０〜２００ｍｍである。
【００２７】
本実施形態の使い捨ておむつ１においては、前記構成部材の幅Ｗ１〜Ｗ４の大小関係が以下のように規定されている。
展開状態において、股間部Ｃにおける吸収性本体５の幅Ｗ１は股間部Ｃにおける外装体１０の幅Ｗ２よりも広くなっている。股間部Ｃにおける吸収性本体５の幅Ｗ１は、その最も幅狭部分の幅を意味する。股間部Ｃにおける外装体１０の幅Ｗ２は、その最も幅狭部分の幅を意味する。股間部Ｃにおける吸収性本体５の幅Ｗ１は、股間部Ｃにおける外装体１０の幅Ｗ２よりも３０ｍｍ以上広いことが好ましく、４０ｍｍ以上広いことが更に好ましい。
【００２８】
股間部Ｃにおける外装体１０の幅Ｗ２は股間部Ｃにおける吸収体４の幅Ｗ３よりも広くなっている。股間部Ｃにおける吸収体４の幅Ｗ３は、その最も幅狭部分の幅を意味する。股間部Ｃにおける外装体１０の幅Ｗ２は、股間部Ｃにおける吸収体４の幅Ｗ３よりも２０ｍｍ以上広いことが好ましく、３０ｍｍ以上広いことが更に好ましい。
【００２９】
股間部Ｃにおける吸収体４の幅Ｗ３は、股間部Ｃにおける本体接合部１３の幅Ｗ４以上である。この幅の大小関係は、使い捨ておむつ１の全長に亘っている。股間部Ｃにおける吸収体４の幅Ｗ３は、股間部Ｃにおける本体接合部１３の幅Ｗ４よりも１０ｍｍ以上広いことが好ましく、２０ｍｍ以上広いことが更に好ましい。
【００３０】
本実施形態の使い捨ておむつ１の構成部材の材料としては、当該技術分野において通常用いられているものを特に制限なく用いることができる。
例えば、表面シート２としては、親水性且つ液透過性の不織布や、開孔フィルムを用いることができる。裏面シート３としては、液不透過性（液難透過性を含む）の材料や撥水性の材料を用いることができる。液不透過性の材料としては、樹脂フィルムや、樹脂フィルムと不織布等とのラミネート材等を用いることができ、撥水性の材料としては、撥水性不織布等を用いることができる。
【００３１】
吸収体４としては、パルプ繊維、連続繊維（トウ）等からなる繊維集合体、又は繊維集合体と吸水性ポリマーとからなるもの（吸水性ポリマーと繊維材料との混合積繊物）等を用いることができる。
各弾性部材としては、糸状のもの（糸ゴム等）、所定幅の帯状のもの（平ゴム等）等が好ましく用いられる。各弾性部材の素材としては、天然ゴム、スチレン−ブタジエン、ブタジエン、イソプレン、ネオプレン等の合成ゴム、ＥＶＡ、伸縮性ポリオレフィン、ウレタン等が挙げられる。
【００３２】
第１実施形態の使い捨ておむつ１においては、展開状態において、前記構成部材の幅Ｗ１〜Ｗ４の大小関係が前述のように規定されていると共に、折り返された裏面シート３の内側縁３２が股間部Ｃにおいて幅方向外方に向けて凸となるように湾曲しており、湾曲した裏面シート３の内側縁３２に沿ってサイド弾性部材６１が湾曲して配設されている。
【００３３】
そのため、装着時には、吸収性本体５のサイドギャザーが吸収体４の側端を起点として立ち上がり、吸収性本体５の股間部が見かけ上狭くなるため、レッグ開口部８への脚の挿入性は良くなる。また、吸収性本体５の括れた部分のシート幅分だけがサイドギャザーの起立高さになるため、サイドギャザーの起立高さが高くなり過ぎることがなく、股間部のフィット性も高い。
【００３４】
次に、第２発明の実施形態である第２実施形態及び第３発明の実施形態である第３実施形態について順次説明する。第２実施形態及び第３実施形態については、第１実施形態と異なる点を中心に説明し、同様の点については説明を省略し、同じ符号を付す。従って、第２実施形態及び第３実施形態については、前述の第１実施形態についての説明が適宜適用される。
【００３５】
第２実施形態の使い捨ておむつ１について図６〜図１０を参照しながら説明する。第２実施形態の使い捨ておむつ１においては、図６〜図１０に示すように、裏面シート３の両側部は、幅方向内方に折り返されて、少なくとも長手方向両端部近傍において表面シート２の肌当接面側に接合されている。詳細には、裏面シート３の両側部は、幅方向内方に向けて２回折り返されており、腹側部Ａ及び背側部Ｂそれぞれの略全域において表面シート２の肌当接面側に接合されている。このような構成は、第１実施形態の使い捨ておむつ１と同様である。
【００３６】
而して、第２実施形態の使い捨ておむつにおいては、折り返された裏面シート３の内側縁３２は、長手方向に沿って直線状となっており、折り返された裏面シート３の内側縁３２には、股間部Ｃにおいて多数の切れ込みＧが形成されている。本実施形態においては、切れ込みＧは、股間部Ｃの全域に亘っている。
【００３７】
切れ込みＧは、裏面シート３の内側縁３２から幅方向外方に向けて延びている。切れ込みＧは、折り返し領域３１における２回折り返された裏面シート３に、長手方向に所定間隔をおいて等幅で多数形成されている。そのため、切れ込みＧの幅方向に沿う縦断面形状は、図８に示すように、ループ形状となる。
【００３８】
切れ込みＧのおむつ幅方向に沿う幅Ｗ７（図１０参照）は、好ましくは２〜３０ｍｍ、更に好ましくは５〜２５ｍｍである。切れ込みＧの間隔は、好ましくは２〜３０ｍｍ、更に好ましくは２〜１５ｍｍである。
【００３９】
折り返された裏面シート３には、切れ込みＧから幅方向外方の位置に、サイド弾性部材６１が配設されている。詳細には、２本のサイド弾性部材６１が、折り返し領域３１における２回折り返された裏面シート３の間に挟持されて、幅方向に並列して配設されている。つまり、サイド弾性部材６１は、折り返し領域３１の内側縁３２側に切れ込みＧが形成される領域ができるように、折り返し領域３１における幅方向外方寄りに配設されている。切れ込みＧには、接着剤が付着しておらず、そのため、折り返し領域３１の内側縁３２における切れ込みＧが形成された領域は、柔軟で肌触りがよくなっている。
【００４０】
折り返された裏面シート３の内側縁３２における切れ込みＧが形成された領域には、ローション剤が付着されていることが好ましい。該領域にローション剤が付着されていると、着用者の肌との間の摩擦を低減することができる。ローション剤としては、例えば、流動パラフィン、シリコーンオイル、動植物油（オリーブ油、ホホバ油、ベニバナ油、スクワラン、スクワレン等）、モノ、ジ、トリグリセライド、脂肪族エーテル、イソステアリル−コレスレロールエステルなどが挙げられる。
【００４１】
また、該領域には、ローション剤と共に皮膚を保護する成分が付着されていることが好ましい。ここで皮膚を保護する成分とは、皮膚のかぶれを防止する効果、或いは消炎、抗菌等の皮膚の状態を正常に戻す効果を有する成分をいう。
皮膚を保護する成分としては、例えば、各種植物エキス、セリシン、キトサン、セラミド類、コラーゲンなどが挙げられる。
【００４２】
第２発明の使い捨ておむつにおいては、図１１に示すように、サイド弾性部材６１を、股間部Ｃにおいて幅方向外方に向けて凸となるように湾曲させて配設すると共に、多数の切れ込みＧにおける幅方向外方の端部を、サイド弾性部材６１の湾曲形状に沿って配列することができる。
詳述すると、図１１に示す形態においては、裏面シート３の折り返し領域３１の形態自体は、前述の図６〜図１０に示す第２実施形態における裏面シート３の折り返し領域３１と同様である。
【００４３】
而して、サイド弾性部材６１は、第１実施形態におけるサイド弾性部材６１と同様に、股間部Ｃにおいて幅方向外方に向けて凸となるように湾曲するように配設されている。また、多数の切れ込みＧは、その幅方向外方の端部を仮想的に連結した線がサイド弾性部材６１の湾曲形状に沿うように、おむつ幅方向に沿う幅Ｗ７を徐々に異ならせてある。
【００４４】
第２実施形態の使い捨ておむつ１においては、裏面シート３の両側部は、幅方向内方に折り返されて、少なくとも長手方向両端部近傍において表面シート２の肌当接面側に接合されている。折り返された裏面シート３の内側縁には、股間部Ｃにおいて多数の切れ込みＧが形成されている。折り返された裏面シート３には、切れ込みＧから幅方向外方の位置に、サイド弾性部材６１が配設されている。切れ込みＧには、接着剤が付着していない。
【００４５】
そのため、股間部Ｃにおける吸収性本体５のサイドギャザーが起立しても、サイドギャザーの先端部が多数の切れ込みＧの存在により容易に変形する構造となっているため、レッグ開口部８に脚を挿入する際にサイドギャザーが邪魔にならず、レッグ開口部８への脚の挿入性が高い。また、サイドギャザーの先端部が変形するのでサイドギャザーの起立高さが高くなりすぎることがなく、股間部のフィット性も高い。
【００４６】
第３実施形態の使い捨ておむつ１について図１２〜図１４を参照しながら説明する。
第３実施形態の使い捨ておむつ１は、一部の構成を除き、第２実施形態の使い捨ておむつと同様の構成を有している。詳述すると、図１２〜図１４に示すように、第３実施形態における裏面シート３の折り返し領域３１には、第２実施形態とは異なり、切れ込みＧが設けられていない。
【００４７】
更に、第３実施形態においては、股間部Ｃにおける吸収性本体５に、幅方向弾性部材６２が、吸収性本体５の両側部に亘って幅方向に沿って配設されている。詳細には、幅方向弾性部材６２は、股間部Ｃにおける吸収体４の最も幅狭部分において、吸収体４が配設されている領域においては吸収体４と裏面シート３との間に、吸収体４が配設されていない領域においては表面シート２と裏面シート３との間に１本配設されている。
その他の構成は、第２実施形態の使い捨ておむつと同様である。
【００４８】
第３実施形態の使い捨ておむつ１においては、吸収性本体５の両側部にはサイド弾性部材６１が配設されており、股間部Ｃにおける吸収性本体５には幅方向弾性部材６２が配設されている。そのため、幅方向弾性部材６２の収縮力により、股間部Ｃにおける吸収性本体５の両側部が幅方向に収縮する。従って、レッグ開口部８の有効開口面積が小さくなり難く、レッグ開口部８への脚の挿入性が高い。また、サイドギャザーの起立高さが高くなり過ぎることがなく、股間部のフィット性も高い。
【００４９】
以上、本発明（第１発明、第２発明、第３発明）の使い捨ておむつの好ましい実施形態について説明したが、本発明は、上述した実施形態に制限されず、本発明の趣旨を逸脱しない範囲で種々変更が可能である。
例えば、第２発明においては、裏面シート３の内側縁３２を折り返されていない形状とすることができ、その場合には、切れ込みＧの幅方向に沿う縦断面形状は、図１５に示すように、単なるシート片状となる。
【００５０】
第３発明においては、幅方向弾性部材６２は、長手方向に離間させて並列して複数本配設することができる。その場合、複数本の幅方向弾性部材６２の長さは、同じでもよく、異ならせることもできる。
幅方向弾性部材６２における、吸収体４と裏面シート３との間に配設される部分は、必ずしも伸縮性を有していなくてよい。
【００５１】
第１発明、第２発明及び第３発明の各構成を適宜組み合わせることができる。例えば、第１発明又は第２発明に、第３発明における幅方向弾性部材を設けることができる。
【図面の簡単な説明】
【００５２】
【図１】図１は、第１発明の実施形態である第１実施形態の使い捨ておむつを示す斜視図である。
【図２】図２は、図１に示す使い捨ておむつをサイドシール部で切り離して展開し、各部の弾性部材を伸張させて平面状に拡げた状態で示す平面図である。
【図３】図３（ａ）は、図２に示すＡ−Ａ断面図、図３（ｂ）は、図２に示すＢ−Ｂ断面図である。
【図４】図４は、図１に示す使い捨ておむつを仮想的に吸収性本体と外装体とに分離した状態を示す分解斜視図である。
【図５】図５は、図１に示す使い捨ておむつにおける吸収性本体を示す平面図である。
【図６】図６は、第２発明の実施形態である第２実施形態の使い捨ておむつをサイドシール部で切り離して展開し、各部の弾性部材を伸張させて平面状に拡げた状態で示す平面図（図２対応図）である。
【図７】図７（ａ）は、図６に示すＡ−Ａ断面図、図７（ｂ）は、図６に示すＢ−Ｂ断面図である。
【図８】図８は、図６に示す使い捨ておむつにおける切れ込みを示す幅方向に沿う縦断面図である。
【図９】図９は、図６に示す使い捨ておむつを仮想的に吸収性本体と外装体とに分離した状態を示す分解斜視図である（図４対応図）。
【図１０】図１０は、図６に示す使い捨ておむつにおける吸収性本体を示す平面図である（図５対応図）。
【図１１】図１１は、第２発明における吸収性本体の変形例を示す平面図である（図１０対応図）。
【図１２】図１２は、第３発明の実施形態である第３実施形態の使い捨ておむつをサイドシール部で切り離して展開し、各部の弾性部材を伸張させて平面状に拡げた状態で示す平面図（図２対応図）である。
【図１３】図１３は、図１２に示す使い捨ておむつを仮想的に吸収性本体と外装体とに分離した状態を示す分解斜視図（図４対応図）である。
【図１４】図１４は、図１２に示す使い捨ておむつにおける吸収性本体を示す平面図（図５対応図）である。
【図１５】図１５は、第２発明における切れ込みの変形例を示す縦断面図（図８対応図）である。
【符号の説明】
【００５３】
１  使い捨ておむつ
２  表面シート
３  裏面シート
３１  折り返し領域
３２  内側縁
４  吸収体
５  吸収性本体
６１  サイド弾性部材
６２  幅方向弾性部材
７  ウエスト開口部
８  レッグ開口部
１０  外装体
１３  本体接合部
Ａ  腹側部
Ｂ  背側部
Ｃ  股間部
【図１】
2007275322.tif 000003
【図２】
2007275322.tif 000004
【図３】
2007275322.tif 000005
【図４】
2007275322.tif 000006
【図５】
2007275322.tif 000007
【図６】
2007275322.tif 000008
【図７】
2007275322.tif 000009
【図８】
2007275322.tif 000010
【図９】
2007275322.tif 000011
【図１０】
2007275322.tif 000012
【図１１】
2007275322.tif 000013
【図１２】
2007275322.tif 000014
【図１３】
2007275322.tif 000015
【図１４】
2007275322.tif 000016
【図１５】
2007275322.tif 000017